(57)【特許請求の範囲】
【請求項１】
ビット軸体（１）と、ソケット可動部（４）と、ロック部（５）と、ソケット可動部ホルダー（７）と、内蔵弾性材（８）と、木ネジ用アダプター（10）を備えたドライバービットであって、ロック解除の状態での、ソケット可動部（４）は、内蔵弾性材（８）によって可動範囲上端まで引き上げられ、ビット軸体（１）の先端が、ソケット可動部ホルダー（７）から凸出する第１の構造と、ロックをかけた状態での、可動範囲下端まで引き下げられたソケット可動部（４）のソケット可動部ホルダー（７）が、ビット軸体（１）の先端を覆い、ソケット可動部ホルダー（７）に嵌入した、木ネジをセットした木ネジ用アダプター（10）は、ソケット可動部ホルダー（７）によって全体を覆われ、ビット軸体（１）の先端と、ネジの一体化を保持できる第２の構造と、第２の構造の状態からのロック解除によって、ソケット可動部ホルダー（７）が、木ネジをセットした木ネジ用アダプター（10）から、上方向に抜けるように外れ、ソケット可動部（４）が可動範囲上端まで引き上げられる第３の構造を備え、
木ネジの部材（20)への螺入時に、ソケット可動部ホルダー（７）先端が、部材（20)に触れることにより、部材（20)との間にできる摩擦抵抗が生じ、ソケット可動部（４）にかけたロックが外れ、ソケット可動部ホルダー（７）が可動範囲上端まで引き上げられる構造を特徴とする、木ネジ用アダプターソケット付きドライバービット。
【請求項２】
木ネジがセットされた木ネジ用アダプター（10）を、ソケット可動部ホルダー（７）に嵌入した時に、ソケット可動部ホルダー（７）の内側で、芯ブレがなく、回転・抜き差しが可能な状態に収まる構造を持つ、とともに木ネジ螺入途中で木ネジから外れる構造を持つ、木ネジ用アダプター（10）を併用することを特徴とする、請求項１記載の木ネジ用アダプターソケット付きドライバービット。
【発明の詳細な説明】
【技術分野】
【０００１】
本発明は、木ネジ用アダプターソケット付きドライバービットに関するものである。
【背景技術】
【０００２】
従来の電動ドライバーまたは手動ドライバーでは、部材への木ネジねじ込み時にビット先端と木ネジが分離しているため、芯ブレを防ぐために一方の手で木ネジを支えて作業することもあった。ビット先端が磁石となっている場合も同様なことが言えた。
【０００３】
この欠点を補うためには、作業初期段階でビット先端と木ネジを一体にして、木ネジを倒さず芯ブレもないように保持する構造が必要であるが、特許文献１を見ると、ドリルにセットしたネジによって、下孔あけとねじの締め付けといった２つの作業を、一つの工具で効率よく行えるという機能が先行発明されているが、木ネジの形態に対応できる技術ではない。
【０００４】
また、特許文献２は、ビット側のソケットにセットしたアタッチメントを通してボルトを吸引し、芯ブレなく、確実にボルトを締結するといった機能の発明であるが、木ネジの形態に対応できる技術ではない。
【先行技術文献】
【特許文献】
【０００５】
【特許文献１】公開実用  昭和５４−６６９９
【特許文献２】特開２０１９―１２３０３４
【発明の概要】
【発明が解決しようとする課題】
【０００６】
従来のドライバービットの持つ課題は、ビット先端と木ネジ頭部の噛み合わせ部分が横力に弱く、部材に対し、ネジを倒さず的確に螺入作業することが難しいというものであった。このため、芯ブレによりネジが倒れることで、部材に傷をつけることや、ネジを支えていた指をビットの先端で突いて怪我をすることもあった。ビット先端が磁石となっている場合でも同様なことが言えた。
【０００７】
本発明は、これを解決するために、ビット先端とネジを一体にして、芯ブレやネジが倒れないように保持する構造を特徴とする、専用の木ネジアダプターを併用するドライバービットを提供するものである。
【課題を解決するための手段】
【０００８】
本発明は、ビット軸体１と、ソケット可動部４と、ロック部５と、ソケット可動部ホルダー７と、内蔵弾性材８と、木ネジ用アダプター10を備えドライバービットに係わるもので、ロック解除の状態での、ソケット可動部４は、内蔵弾性材８によって可動範囲上端まで引き上げられ、ビット軸体１の先端が、ソケット可動部ホルダー７から凸出する第１の構造と、ロックをかけた状態での、可動範囲下端まで引き下げられたソケット可動部４のソケット可動部ホルダー７がビット軸体１の先端を覆い、ソケット可動部ホルダー７に嵌入した、木ネジをセットした木ネジ用アダプター10は、ソケット可動部ホルダー７によって全体を覆われ、ビット軸体１の先端と、ネジの一体化を保持する第２の構造と、第２の構造の状態からのロック解除によって、ソケット可動部ホルダー７が、木ネジをセットした木ネジ用アダプター10から、上方向に抜けるように外れ、ソケット可動部４が可動範囲上端まで引き上げられる第3の構造を備えている。
【０００９】
木ネジの部材（20)への螺入時に、ソケット可動部ホルダー（７）先端が部材（20)に触れることにより、部材（20)との間にできる摩擦抵抗が生じ、ソケット可動部４にかけたロックが外れ、ソケット可動部ホルダー７が可動範囲上端まで引き上げられる構造を備えている。
【００１０】
木ネジ用アダプター10は、ソケット可動部ホルダー７への、木ネジがセットされた木ネジ用アダプター10の嵌入時に、ソケット可動部ホルダー７の内側で、芯ブレがなく、回転・抜き差しが可能な状態に収まる構造を持ち、木ネジ螺入時において、木ネジ頭部が部材20に触れる前に、木ネジから外れる構造を備えている。
【００１１】
木ネジ用アダプター10は、外側が円筒状で、内側は木ネジの尖頭部一部を残して木ネジを保持できる、木ネジの外形に契合したテーパー状の形態を持ち、木ネジ螺入時において、木ネジ頭部が部材20に触れる前に、木ネジ頭部と部材20から生じる圧力によって、木ネジから外れる構造を備えている。
【発明の効果】
【００１２】
本発明の木ネジ用アダプターソケット付きドライバービット及びドライバービットは、これまでにはなかったビットと木ネジを一体化して保持する構造を付加することによって、芯ブレによる木ネジの倒れ込みがなくなるため、プロ・アマ・経験の有無を問わず、的確かつ効率的な、部材20に対する木ネジの螺入作業を可能にする。
【図面の簡単な説明】
【００１３】
【図１】(a)ソケット可動部４が、可動範囲上端にある状態の本発明品全体の斜視図である。(b)ソケット可動部４が、可動範囲下端にある状態の本発明品全体の斜視図である。
【図２】本発明全部品の斜視図である。
【図３】(a)木ネジ用アダプター10に木ネジをセットした状態の斜視図である。 (b)木ネジ用アダプター10が、木ネジ頭部と部材20からの圧力によって、押し広げられている状態の斜視図である。
【図４】(a)ソケット可動部４が、可動範囲上端にある状態の本発明品全体の立面図である。 (b)ソケット可動部４が、可動範囲下端にある状態の本発明品全体の立面図である。
【図５】(a)ソケット可動部ホルダー７を可動範囲下端まで引き下げ、木ネジがセットされた木ネジ用アダプター10を、ソケット可動部４に差し込んだ状態の本発明品の立面断面図である。(b)木ネジ用アダプター10にセットされた木ネジを、部材20に螺入していったとき、ソケット可動部ホルダー７の先端が、木ネジ用アダプター10先端より先に、部材20に接することを示した本発明品の立面断面図である。(c)木ネジ用アダプター10にセットされた木ネジの部材20への螺入途中で、ソケット可動部ホルダー７が可動範囲上端まで引き上げられた後に、木ネジ用アダプター10の先端が部材20に触れている状態の本発明品の立面断面図である。(d)木ネジ用アダプター10が、部材20の近くまで螺入された木ネジの頭部によって、内側から押し広げられている状態の本発明品の立面断面図である。
【発明を実施するための形態】
【００１４】
筒状のソケット可動部４が、内蔵弾性材の力で可動範囲上端まで引き上げられた状態になっているときは、図１（a）、図４（a）、図５（a)・（c）・（d)のような、軸体１の先端のビット部分が凸出した形態をとる。 
【００１５】
筒状のソケット可動部４を、可動範囲下端まで引き出し、ロックすると、ビット軸体１の先端のビット部分を、内側が木ネジ用アダプター10の外側に契合した形状を持つソケット可動部ホルダー７が覆い、図１(b)、図４（ｂ）、図５(a)・（ｂ）のように、木ネジをセットした木ネジ用アダプター10を嵌入できる形態をとる。
【００１６】
ただし、前記の木ネジとは、先に行くに従い細くなっていく形態を持つ頭部が鍋型・皿形のネジで、タッピングネジも含む。
【００１７】
木ネジ用アダプター10にセットされた木ネジを部材20に螺入していったとき、ソケット可動部ホルダー７の先端は、図５（b）のように、木ネジ用アダプター10の先端より先に部材20に触れる形態をとる。
【００１８】
ただし、前記の部材20とは、木材、石膏ボード、樹脂素材等を指す。
【００１９】
尚、上記の形態は、木ネジ用アダプター10の先端が部材20に触れるより前に、ソケット可動部ホルダー７が部材20に触れ、ロック解除に必要な摩擦抵抗を生じさせるためのものである。
【００２０】
部材20への木ネジ螺入時に、ソケット可動部ホルダー７と部材20との摩擦抵抗によりロックが解除されたソケット可動部４は、図５（c）・（d）のように、部材20に螺入された木ネジと、木ネジがセットされた木ネジ用アダプター10を部材20に残し、可動範囲上端まで引き上げられる形態をとる。
【００２１】
木ネジ用アダプター10にセットされた木ネジ先端は、図１（a）、図３（a）、図５（a）・（ｂ）・（ｃ）のように、ソケット可動部ホルダー７に対し、木ネジの長さの半分程度突出した形態をとる。
【００２２】
部材20への木ネジ螺入時に、ソケット可動部４が可動範囲上端まで戻ったとき、木ネジがセットされた木ネジ用アダプター10は、図５（c）・（d）のように、ソケット可動部ホルダー７と接しない形態をとる。
【００２３】
尚、木ネジのサイズおよび頭部の形態を考慮し、木ネジ用アダプター10と、ソケット可動部ホルダー７と、ソケット可動部４と、ビット軸体１の先端部は、幾つかのサイズを必要とする。
【００２４】
部材20への木ネジ螺入時に、木ネジをセットした木ネジ用アダプター10の先端が、部材20の表面に達し、更に螺入していったとき、木ネジ頭部が部材20に触れる前に、部材20とネジの頭部から生じる圧力により、木ネジ用アダプター10の外径・内径が、切れ込みから広げられるか、木ネジ用アダプター10が殻壊するか、木ネジ用アダプター10が木ネジ頭部から抜けることによって、木ネジ頭部が部材20に触れる前に、木ネジ用アダプター10が木ネジから外れる構造を備えた図３（b）、図５（d）の形態をとる。
【００２５】
木ネジ用アダプター10は、図（１）、図２、図３（a）・（b）のように、外側が円筒状で、内側は木ネジの尖頭部一部を残して木ネジ本体を保持できる、木ネジの外形に契合したテーパー状の形態をとる。
【００２６】
木ネジ用アダプター10は、ソケット可動部ホルダー７への嵌入時に、ソケット可動部ホルダー７の内側に収まる長さをとり、外径はソケット可動部ホルダー７の内径より小さく、ソケット可動部ホルダー７嵌入時に、ソケット可動部ホルダー７に対して、隙間がなく、回転が可能で、抜き差しが可能な状態を保持でき、ビット軸体１の先端とネジの一体化を図れる円筒状の形態をとる。
【符号の説明】
【００２７】
１  ビット軸体
２  上部ストッパー
３  上部ストッパー止めネジ
４  ソケット可動部
５  ロック部
６  ロックストッパー兼下部内蔵弾性材受け止めネジ
７  ソケット可動部ホルダー
８  内蔵弾性材
９  下部内蔵弾性材受け
10  木ネジ用アダプター 
11  切れ込み
20  部材
【図１】
0006954674.tif 000002
【図２】
0006954674.tif 000003
【図３】
0006954674.tif 000004
【図４】
0006954674.tif 000005
【図５】
0006954674.tif 000006